(57)【要約】  少なくとも第１の幅と第２の幅とを有する接着剤付きフィルム（１００）をサッシ（２００）の第１面（２０２）に貼付する接着剤付きフィルム貼付治具（１０）が提供される。サッシ（２００）はさらに第２面（２０４）を有する。治具（１０）は、サッシ（２００）の第２面（２０４）に係合するように構成された方向付け構造（２０）と、方向付け構造（２０）に枢支結合される貼付構造（３０）と、方向付け構造（２０）および貼付構造（３０）を互いに向かって付勢することにより、方向付け構造（２０）および貼付構造（３０）がサッシ（２００）に解放可能に締付されることができるようにする要素（４０）と、を備える。貼付構造（３０）は、接着剤付きフィルム（１００）を第１面（２０２）に貼付する少なくとも１つの回転可能要素（３７ａ、３７ｂ）と、接着剤付きフィルムを回転可能要素（３７ａ、３７ｂ）と第１面（２０２）とに対して適当に配置する案内構造（１６０）と、を有する。案内構造（１６０）は、接着剤付きフィルム（１００）の第１幅（ｗ１）に対応する第１位置と、接着剤付きフィルム（１００）の第２幅（ｗ２）に対応する第２位置と、に配置されることが可能な可動案内面（１７２ａ）を有する。
2007507394.tif 000002
【特許請求の範囲】
【請求項１】
接着剤付きフィルムを被着体の第１面に貼付する接着剤付きフィルム貼付治具であって、該被着体がさらに第２面を有しているものであって、
該被着体の該第２面に係合するように構成された方向付け構造と、
該方向付け構造に枢支結合される貼付構造と、
該方向付け構造および該貼付構造を互いに向かって付勢することにより、該方向付け構造および該貼付構造が該被着体に解放可能に締付されることができるようにする要素と、
を備え、
該貼付構造が、該接着剤付きフィルムを該第１面に貼付する少なくとも１つの要素と、該接着剤付きフィルムを該貼付要素と該第１面とに対して適当に配置する案内構造と、を有し、
該案内構造が、該接着剤付きフィルムの第１寸法に対応する第１位置と、該接着剤付きフィルムの第２寸法に対応する第２位置と、に配置されることが可能な可動案内面を有する、接着剤付きフィルム貼付治具。
【請求項２】
前記貼付構造がさらに主本体を有する、請求項１に記載の接着剤付きフィルム貼付治具。
【請求項３】
前記案内構造が、前記主本体に対して移動可能なガイドアセンブリを備え、該ガイドアセンブリが、前記可動案内面を画定する面を有するガイドプレートを備える、請求項２に記載の接着剤付きフィルム貼付治具。
【請求項４】
前記ガイドアセンブリが、さらに
係合バーと、
前記主本体の穴を貫通しかつ該係合バーと前記ガイドプレートとに固定結合される少なくとも１つの摺動棒と、
該係合バーに係合し、かつ該係合バーと該ガイドプレートとを第２位置に付勢することにより、前記可動案内面が該第２位置に配置されるようにするばねと、
を備える、請求項３に記載の接着剤付きフィルム貼付治具。
【請求項５】
前記係合バーが、該係合バーを前記ばねに対して移動させるように手動で係合されることが可能であることにより、該係合バーと前記ガイドプレートとが第１位置まで移動し、そこで前記可動案内面が該第１位置に配置される、請求項４に記載の接着剤付きフィルム貼付治具。
【請求項６】
前記方向付け構造がレバーを備え、該レバーが、前記係合バーを前記ばねに対して移動させるように該係合バーに係合することができ、それにより該係合バーと前記ガイドプレートとが第１位置まで移動し、そこで前記可動案内面が該第１位置に配置される、請求項４に記載の接着剤付きフィルム貼付治具。
【請求項７】
前記主本体に第１磁気要素が設けられ、前記係合バーに、該第１磁気要素に隣接して配置されると該第１磁気要素を引き寄せる第２磁気要素が設けられ、該第１磁気要素および該第２磁気要素が、前記係合バーと前記ガイドプレートとが前記第１位置まで移動する時に該係合バーを該主本体に解放可能に結合する、請求項６に記載の接着剤付きフィルム貼付治具。
【請求項８】
前記ガイドプレートが、前記被着体の、およそ該被着体の前記第１面の幅が変化する部分に係合する部分を備え、該被着体の部分により、前記係合バーが前記主本体から離れる方向に移動する間に前記ガイドプレートが該主本体に向かって移動し、それにより、前記第１磁気要素と前記第２磁気要素とが十分に離間して、前記ばねが該係合バーと該ガイドプレートとを前記第２位置まで移動させることが可能になる、請求項７に記載の接着剤付きフィルム貼付治具。
【請求項９】
前記主本体に第１コネクタ要素が設けられ、前記係合バーに第２コネクタ要素が設けられ、該第２コネクタ要素が、該係合バーと前記ガイドプレートとが前記第１位置まで移動すると該係合バーを該主本体に解放可能に結合するように、該第１コネクタ要素と解放可能に係合可能である、請求項６に記載の接着剤付きフィルム貼付治具。
【請求項１０】
前記案内構造がさらに、前記主本体から間隔が空けられかつ該主本体に対して適所に固定される下部ガイドプレートを備え、該下部ガイドプレートが、前記可動案内面が前記第１位置に配置される時に前記第１寸法に実質的に等しい距離だけ該可動案内面から間隔が空けられ、該可動案内面が前記第２位置に配置される時に前記第２寸法に実質的に等しい距離だけ該可動案内面から間隔が空けられる固定案内面を画定する面を有する、請求項３に記載の接着剤付きフィルム貼付治具。
【請求項１１】
前記案内構造がさらに、前記接着剤付きフィルムと付随する剥離ライナとを受容するギャップを画定するように前記少なくとも１つの貼付要素から間隔が空けられた外側ガイドを備える、請求項１０に記載の接着剤付きフィルム貼付治具。
【請求項１２】
少なくとも第１の幅と第２の幅とを有する接着剤付きフィルムをサッシの第１面に貼付する接着剤付きフィルム貼付治具であって、該サッシがさらに第２面を有しているものであって、
該サッシの該第２面に係合するように構成された方向付け構造と、
該方向付け構造に枢支結合される貼付構造と、
該方向付け構造および該貼付構造を互いに向かって付勢することにより、該方向付け構造および該貼付構造が該サッシに解放可能に締付されることができるようにする要素と、
を備え、
該貼付構造が、該接着剤付きフィルムを該第１面に貼付する少なくとも１つの回転可能要素と、該接着剤付きフィルムを該回転可能要素と該第１面とに対して適当に配置する案内構造と、を有し、
該案内構造が、該接着剤付きフィルムの第１幅に対応する第１位置と、該接着剤付きフィルムの該第２幅に対応する第２位置と、に配置されることが可能な可動案内面を有する、
接着剤付きフィルム貼付治具。
【請求項１３】
前記貼付構造がさらに主本体を有する、請求項１２に記載の接着剤付きフィルム貼付治具。
【請求項１４】
前記案内構造が、前記主本体に対して移動可能なガイドアセンブリを備え、該ガイドアセンブリが、前記可動案内面を画定する面を有するガイドプレートを備える、請求項１３に記載の接着剤付きフィルム貼付治具。
【請求項１５】
前記ガイドアセンブリがさらに、
係合バーと、
前記主本体の穴を貫通しかつ該係合バーと前記ガイドプレートとに固定結合される少なくとも１つの摺動棒と、
該係合バーに係合し、かつ該係合バーと該ガイドプレートとを第２位置に付勢することにより、前記可動案内面が該第２位置に配置されるようにするばねと、
を備える、請求項１４に記載の接着剤付きフィルム貼付治具。
【請求項１６】
前記係合バーが、該係合バーを該ばねに対して移動させるように手動で係合されることが可能であることにより、該係合バーと前記ガイドプレートとが第１位置まで移動し、そこで前記可動案内面が該第１位置に配置される、請求項１５に記載の接着剤付きフィルム貼付治具。
【請求項１７】
前記方向付け構造がレバーを備え、該レバーが、前記係合バーを前記ばねに対して移動させるように該係合バーに係合することができ、それにより該係合バーと前記ガイドプレートとが第１位置まで移動し、そこで前記可動案内面が該第１位置に配置される、請求項１５に記載の接着剤付きフィルム貼付治具。
【請求項１８】
第１幅を有する第１部分と第２幅を有する第２部分とを有する接着剤付きフィルムをサッシの第１面に貼付する方法であって、
接着剤付きフィルム貼付治具を該サッシに締付するステップと、
該治具の少なくとも１つの回転可能要素を介して該接着剤付きフィルムを該サッシの該第１面に貼付するステップであって、該治具が、該接着剤付きフィルムの該第１幅に対応する第１位置と、該接着剤付きフィルムの該第２幅に対応する第２位置と、に配置されることが可能な可動案内面を含む、貼付するステップと、
およそ該接着剤付きフィルムの該第２部分が該サッシ第１面に貼付される時に該案内面を該第２部まで移動させるステップと、
を含む方法。
【請求項１９】
前記移動させるステップが手動で行われる、請求項１８に記載の方法。
【請求項２０】
前記移動させるステップが自動で行われる、請求項１８に記載の方法。
【発明の詳細な説明】
【技術分野】
【０００１】
本発明は、たとえば自動車のドアの窓枠またはサッシの外面に接着剤付きフィルムまたはテープを貼付する方法および装置であって、フィルムまたはテープが複数の幅を有する、方法および装置に関する。
【背景技術】
【０００２】
物品の表面に、その物品に有利なデザインを提供するために、薄いフィルムまたはテープを貼付する場合がある。本技術分野では、物品上で接着剤付きフィルムを正確に位置付けかつ接着することが困難であることが知られている。さらに、貼付方法中にフィルムと物品との間に空気が取り込まれることなくフィルムを貼付することは困難である。また、フィルムを貼付するステップが連続的でない場合、フィルムにラインマーク（ショックライン）が見つかる場合があることにも留意されたい。かかるショックラインにより、フィルム／物品の組合せの外観が損なわれる。
【０００３】
自動車組立ラインによっては、自動車の表面に薄いフィルム（たとえば幅の狭い塗料代替フィルム）を貼付する。より詳細には、たとえば、車両の外観をよくするために、車両のサッシに黒の接着テープ（すなわち、接着剤付き塗料代替フィルム）を貼付する場合がある。黒の接着テープは、たとえば、基材としてのフィルム層（たとえば塩化ビニル製）と、フィルム層の裏側に設けられる接着層（たとえばアクリル系感圧接着剤）と、を備える。
【発明の開示】
【発明が解決しようとする課題】
【０００４】
複数の幅、たとえば第１幅を有する第１部分と第２幅を有する第２部分とを有する接着剤付きフィルムを貼付する治具および関連方法であって、それによって多幅フィルムを、貼付されたフィルムまたは空気がフィルムと物品との間に取り込まれることになるショックラインなしに貼付することができる、治具および関連方法があることが望ましい。
【課題を解決するための手段】
【０００５】
本発明によれば、複数の幅、たとえば第１幅を有する第１部分と第２幅を有する第２部分とを有する接着剤付きフィルムまたはテープ（たとえばブラックアウトフィルムまたはテープ）を、たとえば自動車のドアの窓枠またはサッシの外面に貼付する治具および関連方法が提供される。
【０００６】
本発明の第１態様によれば、接着剤付きフィルムを被着体の第１面に貼付する接着剤付きフィルム貼付治具が提供される。被着体はさらに、第２面を有する。治具は、被着体の第２面に係合するように構成された方向付け構造と、方向付け構造に枢支結合される貼付構造と、方向付け構造および貼付構造を互いに向かって付勢することにより、方向付け構造および貼付構造が被着体に解放可能に締付されることができるようにする要素と、を備える。貼付構造は、接着剤付きフィルムを第１面に貼付する少なくとも１つの要素と、接着剤付きフィルムを貼付要素と第１面とに対して適当に配置する案内構造と、を有する。案内構造は、接着剤付きフィルムの第１寸法に対応する第１位置と、接着剤付きフィルムの第２寸法に対応する第２位置と、に配置されることが可能な可動案内面を有する。
【０００７】
本発明の第２態様によれば、少なくとも第１の幅と第２の幅とを有する接着剤付きフィルムをサッシの第１面に貼付する接着剤付きフィルム貼付治具が提供される。サッシはさらに第２面を有する。治具は、サッシの第２面に係合するように構成された方向付け構造と、方向付け構造に枢支結合される貼付構造と、方向付け構造および貼付構造を互いに向かって付勢することにより、方向付け構造および貼付構造がサッシに解放可能に締付されることができるようにする要素と、を備える。貼付構造は、接着剤付きフィルムを第１面に貼付する少なくとも１つの回転可能要素と、接着剤付きフィルムを回転可能要素と第１面とに対して適当に配置する案内構造と、を有する。案内構造は、接着剤付きフィルムの第１幅に対応する第１位置と、接着剤付きフィルムの第２幅に対応する第２位置と、に配置されることが可能な可動案内面を有する。
【０００８】
本発明の第３態様によれば、第１幅を有する第１部分と第２幅を有する第２部分とを有する接着剤付きフィルムをサッシの第１面に貼付する方法が提供される。該方法は、接着剤付きフィルム貼付治具をサッシに締付するステップと、治具の少なくとも１つの回転可能要素を介して接着剤付きフィルムをサッシの第１面に貼付するステップと、を含む。治具は、接着剤付きフィルムの第１幅に対応する第１位置と、接着剤付きフィルムの第２幅に対応する第２位置と、に配置されることが可能な可動案内面を含む。該方法はさらに、およそ接着剤付きフィルムの第２部分がサッシ第１面に貼付される時に案内面を第１位置から第２位置まで移動させるステップを含む。移動させるステップは、手動で行われてもよい。別法として、移動させるステップは自動で行われてもよい。
【発明を実施するための最良の形態】
【０００９】
図１〜図３に、本発明の第１実施形態によって構成された、複数の幅を有する接着剤付きフィルムまたはテープ１００を被着体の外面に貼付する治具１０を示す。フィルム１００は、図４に示すが図１〜図３には示していない。図示する実施形態では、フィルム１００は、第１幅Ｗ1を有する第１部分１０２と、第１幅Ｗ1より寸法が大きい第２幅Ｗ2を有する第２部分１０４と、を備える。また、図示する実施形態では、被着体は、外面すなわち第１面２０２と内面すなわち第２面２０４とを有する車両ドア枠またはサッシ２００を備える（図５を参照）。サッシ２００はさらに、サッシ２００の長さに沿って延在する突出リブ２０６を有し、そこに目詰め（図示せず）が取り付けられる。図６に示すように、サッシ２００は、第１および第２の実質的に直線状の外面部２１０ａおよび２１０ｂと、角度付き外面部２１２と、を有する。第２部２１０ｂの幅は第１部２１０ａの幅より大きい。角度付き部２１２は外周コーナ２１２ａを有する。フィルム第１部分１０２をサッシ第１部２１０ａに接着させてもよく、フィルム第２部分１０４をサッシ第２部２１０ｂに接着させてもよい。
【００１０】
治具１０は、貼付構造３０に枢支結合された方向付け構造２０を備える（図１〜図３、図７および図８を参照）。方向付け構造２０および貼付構造３０は、ピン１２３を介して互いに枢支結合されている。ピン１２３の端部１２３ｂに結合されたリテーナクリップ１２３ａが、方向付け構造２０および貼付構造３０に対して適所にピン１２３を保持する。後にさらに論考するように、治具１０をサッシ２００に解放可能に締付することができるように、方向付け構造２０および貼付構造３０を互いに向かって付勢するばね４０が設けられている（図１、図２、図７および図１０を参照）。
【００１１】
方向付け構造２０は、枢動ブロック２２を備える（図７を参照）。図７では、方向付け構造２０を構成する要素を組立分解形態で示す。枢動ブロック２２の上面２２ａに、テーパ状上面２４ａを有する把持ブロック２４が取り付けられる。把持ブロック２４は、一対の凹所２４ｂを有し、それらは各々、枢動ブロック２２に設けられた一対のガセット２２ｃのうちの１つを受容するような寸法である。枢動ブロック２２の下面２２ｂには、ホイールブロック２６が取り付けられる。把持ブロック２４および枢動ブロック２２の穴にボルト２３が貫通し、それらは、ホイールブロック２６のねじ付き開口にねじ込み式に受容される。３つのホイールアセンブリ２８が設けられ、各々、ホイール２８ａと、軸受／ハブ構造２８ｂと、ボルト２８ｃと、を有する。ボルト２８ｃは、軸受／ハブ構造２８ｂから延在し、ホイールブロック２６の対応するねじ付き開口に受容される。図２〜図３から明らかであるように、ホイール２８ａは、サッシ内面２０４の縁部２０４ａに沿って移動し、サッシ２００上に治具１０を安定させるのに役立つ。
【００１２】
方向付け構造２０は、さらに、ボルト１２１を介して枢動ブロック２２に結合されるフランジローラ取付ブロック１２０を備える。ボルト１２１は、枢動ブロック２２の穴を貫通し、取付ブロック１２０のねじ付き開口にねじ込み式に受容される。第１、第２および第３フランジガイドローラアセンブリ１３０〜１３２は、取付ブロック１２０に結合される。各ガイドローラアセンブリ１３０〜１３２は、対応するローラ１３０ａ〜１３２ａと、対応する軸受１３０ｂ〜１３２ｂと、対応する軸受スペーサ１３０ｃ〜１３２ｃと、対応するボルト１３０ｄ〜１３２ｄと、を備える。ボルト１３０ｄ〜１３２ｄは、軸受１３０ｂ〜１３２ｂと、ローラ１３０ａ〜１３２ａと、軸受スペーサ１３０ａ〜１３２ｃと、を貫通し、取付ブロック１２０に設けられたねじ付き開口に受容される。第１アセンブリ１３０および第３アセンブリ１３２のローラ１３０ａおよび１３２ａは、形状およびサイズが類似し突出リブ２０６の第１面２０６ａに係合するフランジ１３０ｅおよび１３２ｅを有し、第２アセンブリ１３１のローラ１３１ａは、突出リブ２０６の第２面２０６ｂに係合するフランジ１３１ｅを有する（図２Ａを参照）。突出リブ２０６の対向する面２０６ａ、２０６ｂに係合することにより、フランジ１３０ｅ〜１３２ｅは、治具１０をサッシ２００に取り付けるのに役立ち、さらに、フィルム１００をサッシ第１面２０２に貼付するためにサッシ２００の長さに沿って手動で移動される治具１０を案内するのに役立つ。同様のガイドローラアセンブリの論考は、開示内容がすべて参照により本明細書に援用され、２００２年４月２５日に出願された日本国優先特許出願、特願２００２−１２３４０３号に基づく、「粘着テープ貼付治具（ＡＤＨＥＳＩＶＥ  ＴＡＰＥ  ＡＰＰＬＩＣＡＴＩＯＮ  ＴＯＯＬ）」と題する２００３年３月２７日に出願された国際出願ＰＣＴ／ＵＳ０３／０９２６３号に基づく、開示内容がすべて参照により本明細書に援用される、２００３年１１月６日に公開された国際公開０３／０９１１３９Ａ１号パンフレットに述べられている。
【００１３】
方向付け構造２０はさらに、レバー１４０とレバースペーサブロック１５０とを備える。ボルト１６０が、レバー１４０およびレバースペーサブロック１５０の対応する穴を貫通し、枢動ブロック２２の対応するねじ付き穴にねじ込み式に受容される。
【００１４】
貼付構造３０は、主本体３２と下部ガイド３４とを備える（図８を参照）。図８では、貼付構造３０を構成する要素を組立分解形態で示す。主本体３２は、第１突起３２ａおよび第２突起３２ｂと、略円柱状突起３２ｃと、下方に延在するアーム３２ｄおよび３２ｅと、を有する（図２および図９も参照）。突起３２ａと下部ガイド３４との間に第１軸３４ａが配置され、突起３２ｂと下部ガイド３４との間に第２軸３４ｂが配置され、円柱状突起３２ｃと下部ガイド３４との間に第３軸３４ｃが配置される。ボルト３５ａが、主本体３２の対応する開口を貫通し、軸３４ａ〜３４ｃの対応するねじ付き開口にねじ込み式に係合する。ボルト３５ｂが、下部ガイド３４の対応する開口を貫通し、軸３４ａ〜３４ｃの対応するねじ付き開口にねじ込み式に係合する。軸３４ａ〜３４ｃは、主本体３２および下部ガイド３４に対して回転しない。各軸３４ａ〜３４ｃのまわりにローラ芯３６ａ〜３６ｃが適合し、その軸に対して回転する。芯３６ａのまわりに、略円柱状発泡材を備える貼付ローラ３７ａが、芯３６ａと回転するように適合する。同様に、芯３６ｂのまわりには、貼付ローラ３７ｂが芯３６ｂと回転するように適合する。貼付ローラ３７ａおよび３７ｂは、フィルム貼付操作中に接着剤付きフィルム１００をサッシ２００の第１面２０２に押圧する貼付要素として機能する。
【００１５】
主本体３２の開口と下部ガイド３４の開口とにピン３８が挿入される（図１および図８を参照）。止めねじ３８ｂが、ピン３８を主本体３２に保持する。ピン３８のまわりに、たとえば高分子材料から作製される略円柱状スリーブ３８ａが適合し、ピン３８に対して回転する。スリーブ３８ａは、貼付ローラ３７ａおよび３７ｂによってサッシ外面２０２に貼付される直前のフィルム１００に対する回転可能ガイドとして機能する。スリーブ３８ａはまた、フィルム１００が移動する経路において急峻な湾曲部も画定する。スリーブ３８ａに急峻な湾曲部を作成することにより、フィルム１００は、フィルム１００の粘着面に設けられる剥離ライナ１１２から剥離する。
【００１６】
貼付構造３０はさらに、貼付ローラ３７ａ、３７ｂおよびサッシ第１面２０２に対して接着剤付きフィルム１００を適当に配置する案内構造１６０を備える（図８を参照）。案内構造１６０は、主本体３２に対して移動するガイドアセンブリ１７０を備える。ガイドアセンブリ１７０は、可動案内面を画定する内面１７２ａを有する可動ガイドプレート１７２（図１〜図３を参照）と、係合バー１７４と、第１摺動棒１７６ａおよび第２摺動棒１７６ｂと、ばね１７８と、を備える。摺動棒１７６ａおよび１７６ｂは、主本体３２の対応する穴を貫通し、ボルト１７９ａおよび１７９ｂを介して係合バー１７４およびガイドプレート１７２に固定結合される。ばね１７８は、主本体３２の凹所に受容され、ガイドアセンブリ１７０を図３に示す第２位置に付勢するように係合バー１７４に接触する。それにより、可動案内面１７２ａは、後述するようにフィルム１００の第２幅Ｗ2に対応する第２位置に配置される。
【００１７】
案内構造１６０はさらに、主本体３２に固定して取り付けられた一対の第１磁気要素１８０と、係合バー１７４に固定して取り付けられた一対の第２磁気要素１８２と、を備える。磁気要素１８０、１８２のうちの１つまたは複数の代りに、鋼ねじまたはボルトを使用してもよい。第１磁気要素１８０および第２磁気要素１８２は、ガイドアセンブリ１７０が図１および図２に示す第１位置まで移動すると、係合バー１７４を主本体３２に解放可能に結合するように機能し、そこでは、可動案内面１７２ａは、後述するようにフィルム１００の第１幅Ｗ1に対応する第１位置に配置される。さらに、磁石１８０および１８２の代りに、第１および第２機械コネクタ要素を設けてもよい、ということが考えられる。たとえば、ガイドアセンブリ１７０が第１位置まで移動する時に係合バー１７４を主本体３２に解放可能に結合するように、主本体３２および係合バー１７４にベルクロ（Ｖｅｌｃｒｏ）（登録商標）等のフック・ループ部品を設けてもよい。さらに、主本体３２および係合バー１７４の一方に、第１脚等の従来の第１コネクタ要素（図示せず）を設けてもよく、これは、互いにばね付勢された第２脚と第３脚との間に解放可能に受容され、第２脚および第３脚は、ガイドアセンブリ１７０が第１位置まで移動する時に係合バー１７４を主本体３２に解放可能に結合するように、主本体３２および係合バー１７４の他方に設けられた第２コネクタ要素（図示せず）を画定する、ということが考えられる。
【００１８】
案内構造１６０は、さらに、主本体３２から間隔が空けられかつ主本体３２に対して適所に固定される、下部ガイドプレート３４の内面によって画定される固定案内面３４ａを備える。図１および図２に示すように、固定案内面３４ａは、可動案内面１７２ａがその第１位置に配置される時、フィルム１００の第１幅Ｗ1に実質的に等しい距離だけ可動案内面１７２ａから間隔が空けられる。図３に示すように、固定案内面３４ａは、可動案内面１７２ａがその第２位置に配置される時、フィルム１００の第２幅Ｗ2に実質的に等しい距離だけ可動案内面１７２ａから間隔が空けられる。
【００１９】
案内構造１６０はまた、外側ガイド１９０も備え、これは、フィルム１００および付随する剥離ライナ１１２を受容するギャップＧを画定するように、貼付ローラ３７ａおよび３７ｂから間隔が空けられる。ガイド１９０は、ボルト１９０ａを介して主本体３２に結合される。外側ガイド１９０には、ボルト１９４を介して操作者把持部材１９２が固定結合される。
【００２０】
主本体３２の第１突起３２ａおよび第２突起３２ｂは、貼付ローラ３７ａおよび３７ｂの外周縁に対応する形状を有するように外側ガイド１９０に面する曲線状部分を有する。
【００２１】
治具１０を介するフィルム１００のサッシ２００への貼付は、以下のようにして行われる。上述したように、かつ図１１に示すように、フィルム１００の粘着面に剥離ライナ１１２が設けられる。ライナを第１部分１１２ｃおよび第２部分１１２ｄに分離するように、剥離ライナの１１２の開始エッジ１１２ｂからおよそ３インチの場所に切込み線１１２ａが設けられる（図４Ａ参照）。最初に、操作者は、フィルム第１部分１０２の最初の部分１０２ａの接着剤が露出するように、剥離ライナ１１２の第１部分１１２ｃをフィルム１００から手で除去する。そして、操作者は、最初のフィルム部分１０２ａの露出した接着剤コーティング側を、サッシ２００の外面２０２の対応する開始部２０２ａに接着させる（図１１Ａを参照）。
【００２２】
フィルム１００の最初の部分１０２ａがサッシ２００に接着すると、治具１０をサッシ２００に、かつ剥離ライナ第２部分１１２ｄが付着したフィルム１００の部分にわたって取り付ける。操作者は、治具１０をサッシ２００に取り付けるために、方向付け構造２０を貼付構造３０から分離するようにレバー１４０および外側把持部材１９２に圧力を加える。図１に示すように、分離した構造２０および３０はサッシ２００の上に配置される。そして、操作者は、レバー１４０および外側把持部材１９２に対する圧力を解放して、図２Ａに示すようにローラ１３０ａ〜１３２ａを突出リブ２０６に係合させて、方向付け構造２０および貼付構造３０がサッシ２００に締付されるようにする。
【００２３】
操作者は、治具１０をサッシ２００に取り付けて、剥離ライナ第２部分１１２ｄが取り付けられたフィルム１００を、円柱状スリーブ３８ａの周囲にかつ外側ガイド１９０と貼付ローラ３７ａおよび３７ｂとの間のギャップＧを通るように装着する。そのように配置されると、剥離ライナ第２部分１１２ｄは外側ガイド１９０に面し、フィルム１００は貼付ローラ３７ａおよび３７ｂに面する。そして、ライナ第２部分１１２ｄのエッジ１１２ｅがフィルム１００から分離するまで、治具１０を図１１Ｂにおける矢印３の方向に後方に移動させる（図１１Ｂおよび図１１を参照）。治具１０が矢印３の方向に移動すると、操作者は、フィルム１００／第２部分１１２ｄのたるみを巻き取るように、フィルム１００／第２部分１１２ｄを矢印３の方向に引かなければならない場合がある。ライナ第２部分エッジ１１２ｅの分離は、通常、エッジ１１２ｅが、少なくともそれがスリーブ３８ａを越えて移動した場所まで移動した時に、操作者の介入なしに発生する。分離が発生すると、フィルム１００をサッシ２００に貼付するために、治具１０を図１１における矢印５の方向に手動で移動させる。治具１０が矢印５の方向に移動するに従い、剥離ライナ第２部分１１２ｄはフィルム１００から分離し続ける。フィルム１００は、貼付ローラ３７ａおよび３７ｂによってフィルム１００に加えられる圧力を介してサッシ外面２００に接着される。
【００２４】
図１〜図３に示す実施形態では、操作者がレバー１４０および外側把持部材１９２に圧力を加える時、係合バー１７４上に下方の力を加えるようにレバー１４０の底面１４０ａが係合バー１７４の上面１７４ａに係合し、それにより係合バー１７４が主本体３２に向かって移動する（図１を参照）。係合バー１７４が主本体３２に近づくと、磁気要素１８０および１８２が互いを引き寄せることにより、係合バー１７４が移動して主本体３２と係合し、それによって、ガイドアセンブリ１７０がその第１位置に配置される（図１および図２を参照）。そして、磁気要素１８０および１８２は、係合バー１７４を主本体３２に解放可能に結合するように機能する。上述したように、ガイドアセンブリ１７０がその第１位置に配置される時、可動案内面１７２ａはその第１位置に配置される。同様に上述したように、可動案内面１７２ａは、その第１位置にある時、フィルム１００の第１幅Ｗ1に実質的に等しい距離だけ固定案内面３４ａから離間される。そのように配置される時、可動案内面１７２ａおよび固定案内面３４ａは、フィルム第１部分１０２がギャップＧを通って移動しサッシ２００に貼付される際、貼付ローラ３７ａおよび３７ｂとサッシ外面２０２とに対してフィルム１００の第１部分１０２を適当に配置するように機能する。
【００２５】
上述したように、フィルム１００の第２部分１０４は、フィルム第１部分１０２の第１幅Ｗ1より広い第２幅Ｗ2を有する。フィルム第２部分１０４がサッシ外面２０２に接着される直前に、可動ガイドプレート１７２の延在部１７２ｂがサッシ角度付き部２１２の外周コーナ２１２ａに係合する（図６および図１２を参照）。図６に示す例としてのサッシ２００に関して、治具１０がコーナ２１２ａにおいて水平軸２１３からおよそ１０°〜約１５°回転した時、すなわち、それが第１の実質的に直線状の外側部２１０ａから第２の実質的に直線状の外側部２１０ｂまで移動する際、延在部１７２ｂは外側コーナ２１２ａに係合する。外側コーナ２１２ａは、磁気要素１８２および１８４によって生成される引力に打ち勝つために十分な上方の力を可動ガイドプレート１７２に加え、それにより、係合バー１７４が主本体３２から離れるように移動する間、可動ガイドプレート１７２が主本体３２に向かって移動する（図１２を参照）。そして、ばね１７８は、ガイドアセンブリ１７０をその第２位置まで戻すように作用する。上述したように、ガイドアセンブリ１７０がその第２位置にある時、可動案内面１７２ａはその第２位置にあり（図３を参照）、それにより、それは、フィルム１００の第２幅Ｗ2に実質的に等しい距離だけ固定案内面３４ａから離間する。そのように配置されると、可動案内面１７２ａおよび固定案内面３４ａは、フィルム第２部分１０４がギャップＧを通して移動しサッシ２００に貼付される際、貼付ローラ３７ａおよび３７ｂとサッシ外面２０２とに対してフィルム１００の第２部分１０４を適当に配置するように機能する。
【００２６】
図示する実施形態では、接着剤付きフィルム１００の形状は、サッシの第１外面部２１０ａおよび第２外面部２１０ｂの対応する幅より広い幅Ｗ1およびＷ2を有するように作製される。治具１０がフィルム１００を貼付した後、フィルム１００の余分な幅は、サッシ２００の外面２０２に平行にサッシ２００のエッジから突出する。この突出フィルムは、後に、サッシ２００のエッジの周囲に包み込まれ、サッシ２００の第２面２０４に接着される。また、接着剤付きフィルム１００の形状を、サッシの第１外面部２１０ａおよび第２外面部２１０ｂの対応する幅に実質的に等しい幅Ｗ1およびＷ2を有するように作製してもよい、ということが考えられる。
【００２７】
図１３に、本発明の第２実施形態によって構成された、複数の幅を有する接着剤付きフィルムまたはテープ１００を被着体の外面に貼付する治具５００を示し、そこでは、同様の要素を同様の数字で参照する。
【００２８】
治具５００は、貼付構造５３０に枢支結合される方向付け構造５２０を備える（図１３および図１４を参照）。方向付け構造５２０および貼付構造５３０は、ピン５２３を介して互いに枢支結合される。ピン５２３の端部に結合されたリテーナクリップ５２３ａが、ピン５２３を、方向付け構造５２０および貼付構造５３０に対して適所に保持する。方向付け構造５２０および貼付構造５３０を互いに向かって付勢するばね４０（図１７を参照）が設けられ、それにより、図５および図６に示すもののようなサッシ２００に、治具５００を解放可能に締付することができる。
【００２９】
方向付け構造５２０は、以下の変更を除き、図１〜図３の実施形態の方向付け構造２０と本質的に同様に構成される。方向付け構造５２０は、把持ブロック２４を含まない（図１３および図１４を参照）。方向付け構造５２０は、レバースペーサブロック１５０も含まない（図１３、図１４および図１７を参照）。代りに、レバー５４０は、ボルト（図示せず）を介して枢動ブロック２２に直接取り付けられる。さらに、レバー５４０には、ばね６７８を受容する第１穴（図示せず）と、第１摺動棒６７６を受容する第２穴５４０ｂと、が設けられる。
【００３０】
貼付構造５３０は、主本体５３２と下部ガイド５３４とを備える（図１８を参照）。図１８では、貼付構造５３０を備える要素を組立分解形態で示す。主本体５３２は、第１突起５３２ａおよび第２突起５３２ｂと、略円柱状突起５３２ｃと、下方に延在するアーム５３２ｄおよび５３２ｅと、を含む（図１３および図１７も参照）。突起５３２ａと下部ガイド５３４との間に第１軸３４ａが配置され、突起５３２ｂと下部ガイド５３４との間に第２軸３４ｂが配置され、円柱状突起５３２ｃと下部ガイド５３４との間に第３軸３４ｃが配置される。ボルト３５ａが、主本体５３２の対応する開口を貫通し、軸３４ａ〜３４ｃの対応するねじ付き開口にねじ込み式に係合する。ボルト３５ｂが、下部ガイド５３４の対応する開口を貫通し、軸３４ａ〜３４ｃの対応するねじ付き開口にねじ込み式に係合する。軸３４ａ〜３４ｃは、主本体５３２および下部ガイド５３４に対して回転しない。各軸３４ａ〜３４ｃのまわりにローラ芯３６ａ〜３６ｃが適合し、その軸に対して回転する。芯３６ａのまわりには、その芯３６ａと回転するように略円柱状発泡材を備える貼付ローラ３７ａが適合する。同様に、芯３６ｂのまわりには、その芯３６ｂと回転するように貼付ローラ３７ｂが適合する。貼付ローラ３７ａおよび３７ｂは、フィルム貼付操作中にサッシ２００の第１面２０２に対して接着剤付きフィルム１００を押圧する貼付要素として機能する。
【００３１】
主本体５３２の開口と下部ガイド５３４の開口とにピン３８が挿入される（図１４を参照）。止めねじ３８ｂが、ピン３８を主本体５３２に保持する。ピン３８のまわりには、たとえば高分子材料から作製される略円柱状スリーブ３８ａが適合し、ピン３８に対して回転する。スリーブ３８ａは、貼付ローラ３７ａおよび３７ｂによってサッシ外面２０２に貼付される直前のフィルム１００に対し、回転可能ガイドとして機能する。
【００３２】
貼付構造５３０はさらに、貼付ローラ３７ａ、３７ｂとサッシ第１面２０２とに対して接着剤付きフィルム１００を適当に配置する案内構造６６０を備える（図１８を参照）。案内構造６６０は、主本体５３２に対して手動で移動可能なガイドアセンブリ６７０を備える。ガイドアセンブリ６７０は、可動案内面を画定する内面６７２ａを有する可動ガイドプレート６７２（図１３および図１４を参照）と、係合バー６７４と、第１摺動棒６７６および第２摺動棒６７７と、ばね６７８と、を備える。上述したように、第１摺動棒６７６は、レバー５４０の穴５４０ｂを貫通する。図１６から明らかであるように、第２摺動棒６７７は、レバー５４０の穴を貫通しない。
【００３３】
第１摺動棒６７６は、第１直径を有する第１部６７６ａと、第１直径より小さい第２直径を有する第２部６７６ｂとを有し、それにより、第１部６７６ａと第２部６７６ｂとが接する段状部６７６ｃが画定される。第２部６７６ｂはまた、主本体５３２の第１穴（図示せず）を貫通し、その穴は、第２部６７６ｂの第２直径よりほんのわずかに大きいが第１部６７６ａの第１直径より小さいような寸法である。このため、主本体第１穴を囲む主本体５３２の部分は、第１摺動棒６７６の主本体５３２に対する移動を制限する停止面または制限面を画定する。
【００３４】
第２摺動棒６７７は、第３直径を有する第３部６７７ａと、第３直径より小さい第４直径を有する第４部６７７ｂと、を有し、それにより、第３部６７７ａと第４部６７７ｂとが接する段状部６７７ｃが画定される。第４部６７７ｂは、主本体５３２の第２穴（図示せず）を貫通し、その穴は、第４部６７７ｂの第４直径よりほんのわずかに大きいが第３部６７７ａの第３直径より小さいような寸法である。このため、主本体第２穴を囲む主本体５３２の部分は、第２摺動棒６７７の主本体５３２に対する移動を制限する停止面または制限面を画定する。
【００３５】
摺動棒６７６および６７７は、ボルト６７５を介して係合バー６７４およびガイドプレート６７２に固定結合される。ばね６７８は、主本体５３２の凹所に受容され、レバー５４０の穴を貫通し、ガイドアセンブリ６７０を図１３に示す第２位置に付勢するように係合バー６７４と接触する。それにより、可動案内面６７２ａが、フィルム１００の第２幅Ｗ2に対応する第２位置に配置される。
【００３６】
操作者は、図１４の矢印７０５によって示すように、ガイドアセンブリ６７０をばね４０の上方の付勢力に対抗して図１４に示す第１位置まで移動させるように、係合バー６７４を下方に押下してもよく、ここで、可動案内面６７２ａが、フィルム１００の第１幅Ｗ1に対応する第１位置に配置される。ガイドアセンブリ６７０の第１位置は、主本体第１穴および第２穴を囲む主本体５３２の制限面に係合する摺動棒段状部６７６ｃおよび６７７ｃによって画定される。
【００３７】
案内構造６６０はさらに、主本体５３２から間隔が空けられかつ主本体５３２に対して適所に固定される、下部ガイドプレート５３４の内面によって画定される固定案内面５３４ａを備える（図１３および図１７を参照）。図１４に示すように、固定案内面５３４ａは、可動案内面６７２ａがその第１位置に配置される時、フィルム１００の第１幅Ｗ1に実質的に等しい距離だけ可動案内面６７２ａから間隔が空けられる。図１３に示すように、固定案内面５３４ａは、可動案内面６７２ａが第２位置に配置される時、フィルム１００の第２幅Ｗ2に実質的に等しい距離だけ可動案内面６７２ａから間隔が空けられる。
【００３８】
案内構造６６０はまた、外側ガイド６９０を備え、それは、フィルム１００と付随する剥離ライナ１１２とを受容するためのギャップＧを画定するように貼付ローラ３７ａおよび３７ｂから間隔が空けられる。ガイド６９０は、ボルト１９０ａを介して主本体３２に結合される。外側ガイド６９０には、ボルト（図示せず）を介して操作者把持部材６９２が結合される。
【００３９】
治具５００を介するサッシ２００へのフィルム１００の貼付を、以下のように行う。治具１０に関して上述したように、操作者は、フィルム１００から剥離ライナ１１２の第１部分１１２ｃを手で除去することにより、フィルム第１部分１０２の最初の部分１０２ａ上の接着剤を露出させる。そして、操作者は、露出した最初のフィルム部分１０２ａを、サッシ２００の外面２０２の対応する開始部２０２ａに接着させる（図１１Ａを参照）。
【００４０】
フィルム１００の最初の部分１０２ａがサッシ２００に接着すると、治具５００を、サッシ２００に、かつ剥離ライナ第２部分１１２ｄが付着しているフィルム１００の部分にわたって取り付ける。治具５００をサッシ２００に取り付けるために、操作者は、貼付構造５３０から方向付け構造５２０を分離するように、レバー５４０および外側把持部材６９２に圧力を加える。分離した構造５２０および５３０は、サッシ２００にわたって配置される。そして、操作者は、レバー５４０および外側把持部材６９２に対する圧力を解放することにより、図２Ａに示すように、ローラ１３０ａ〜１３２ａが突出リブ２０６に係合して、方向付け構造５２０および貼付構造５３０がサッシ２００に締付されるようにする。
【００４１】
操作者は、治具５００をサッシ２００に取り付けて、剥離ライナ第２部分１１２ｄが取り付けられたフィルム１００を、円柱状スリーブ３８ａの周囲に、かつ外側ガイド６９０と貼付ローラ３７ａおよび３７ｂとの間のギャップＧを通して装着する。そのように配置されると、剥離ライナ第２部分１１２ｄは外側ガイド６９０に面し、フィルム１００は貼付ローラ３７ａおよび３７ｂに面する。そして、ライナ第２部分１１２ｄのエッジ１１２ｅがフィルム１００から分離するまで、治具５００を後方に、すなわちサッシ外面２０２の開始部２０２ａに向かって移動させる。治具５００が後方に移動するに従い、操作者は、フィルム１００／第２部分１１２ｄにおけるたるみを巻き取るために、フィルム１００／第２部分１１２ｄを治具５００の移動の方向に引かなければならない場合がある。ライナ第２部分エッジ１１２ｅの分離は、通常、エッジ１１２ｅが、少なくともそれがスリーブ３８ａを越えて移動した位置まで移動した時に、操作者の介入なしに発生する。分離が発生すると、フィルム１００をサッシ２００に貼付するために、治具５００を、サッシ外面２０２の開始部２０２ａから離れる方向に手動で移動させる。
【００４２】
図１３〜図１５に示す実施形態では、治具５００がフィルム第１部分１０２をサッシ外面２０２に貼付している際、操作者は、係合バー６７４に下方の力を加えることにより、ガイドアセンブリ６７０がその第１位置に配置されるようにしなければならない。そのように配置されると、可動案内面６７２ａは、その第１位置に配置される。上述したように、可動案内面６７２ａは、その第１位置にある時、フィルム１００の第１幅Ｗ1に実質的に等しい距離だけ固定案内面５３４ａから離間される。そのように配置されると、可動案内面６７２ａおよび固定案内面５３４ａは、フィルム第１部分１０２がギャップＧを通って移動しサッシ２００に貼付される際、フィルム１００の第１部分１０２を貼付ローラ３７ａおよび３７ｂとサッシ外面２０２とに対して適当に配置するように機能する。
【００４３】
上述したように、フィルム１００の第２部分１０４は、フィルム第１部分１０２の第１幅Ｗ1より大きい第２幅Ｗ2を有する。フィルム第２部分１０４がサッシ外面２０２に接着される直前、操作者は、係合バー６７４に加えている力を取り除くことにより、ばね６７８がガイドアセンブリ６７０をその第２位置に戻すように作用するようにする。上述したように、ガイドアセンブリ６７０がその第２位置にある時、可動案内面６７２ａはその第２位置にあり（図１３を参照）、それによって可動案内面６７２ａは、フィルム１００の第２幅Ｗ2に実質的に等しい距離だけ固定案内面５３４ａから離間する。そのように配置されると、可動案内面６７２ａおよび固定案内面５３４ａは、フィルム第２部分１０４がギャップＧを通して移動しサッシ２００に貼付される際、フィルム１００の第２部分１０４を、貼付ローラ３７ａおよび３７ｂとサッシ外面２０２とに対して適当に配置するように機能する。
【００４４】
本発明の特定の実施形態を示し説明したが、当業者には、本発明の精神および範囲から逸脱することなくさまざまな他の変形および変更を行うことができる、ということが明らかとなろう。したがって、添付の特許請求の範囲において本発明の範囲内にあるかかるすべての変形および変更を包含することが意図されている。たとえば、本発明の治具を使用して、器具、治具等の車両サッシ以外の物品にフィルムを貼付することができる、ということが考えられる。
【図面の簡単な説明】
【００４５】
【図１】本発明の第１実施形態によって構成された治具の側面図であり、治具がサッシに締付される直前の互いに分離された方向付け構造と貼付構造とを示す。
【図２】サッシに締付された治具を示し、さらに第１位置にある可動案内面をさらに示す図１の治具の側面図である。
【図２Ａ】図１の治具のガイドローラアセンブリと、それらのアセンブリのローラがサッシの突出リブに対して配置される方法と、を示す。
【図３】サッシに締付された治具を示し、さらに第２位置にある可動案内面を示す、図１に示す治具の側面図である。
【図４】図１の治具によってサッシに貼付されるフィルムの側面図である。
【図４Ａ】フィルムをサッシに接着する前にフィルムに接合されるように構成された剥離ライナの側面図である。
【図５】フィルムが図１の治具によって貼付されてもよいサッシの一部の斜視図である。
【図６】図５のサッシを含むドアの側面図である。
【図７】図１の治具の方向付け構造の組立分解図である。
【図８】図１の治具の貼付構造の組立分解図である。
【図９】図２に類似するが治具の反対側を示す側面図である。
【図１０】図１の治具のレバーが取り除かれた平面図である。
【図１１】図１の治具の貼付ローラによるフィルムのサッシへの貼付を示す概略図である。
【図１１Ａ】サッシ外面の開始部に接着されるフィルム第１部分の最初の部分を示す図である。
【図１１Ｂ】ライナ第２部分のエッジがフィルムから分離するように、後方に移動する治具１０を示す概略図である。
【図１２】サッシのコーナに係合する可動ガイドプレートであって、それによりコーナが可動ガイドプレートに対し上方の力を加える可動ガイドプレートを示す図であり、外側ガイドおよび操作者把持部材が取り除かれている。
【図１３】接着剤付きフィルムをサッシに貼付する、本発明の第２実施形態によって構成された治具の側面図であり、可動案内面は第２位置にあり、レバーの一部は取り除かれている。
【図１４】第１位置にある可動案内面を示す図１３の治具の側面図である。
【図１５】図１３に類似するが治具の反対側を示す側面図である。
【図１６】図１３の治具の第１端の図である。
【図１７】図１３の治具の第２端の図である。
【図１８】図１３の治具の貼付構造の組立分解図である。
【図１】
2007507394.tif 000003
【図２】
2007507394.tif 000004
【図２Ａ】
2007507394.tif 000005
【図３】
2007507394.tif 000006
【図４】
2007507394.tif 000007
【図４Ａ】
2007507394.tif 000008
【図５】
2007507394.tif 000009
【図６】
2007507394.tif 000010
【図７】
2007507394.tif 000011
【図８】
2007507394.tif 000012
【図９】
2007507394.tif 000013
【図１０】
2007507394.tif 000014
【図１１】
2007507394.tif 000015
【図１１Ａ】
2007507394.tif 000016
【図１１Ｂ】
2007507394.tif 000017
【図１２】
2007507394.tif 000018
【図１３】
2007507394.tif 000019
【図１４】
2007507394.tif 000020
【図１５】
2007507394.tif 000021
【図１６】
2007507394.tif 000022
【図１７】
2007507394.tif 000023
【図１８】
2007507394.tif 000024
【国際調査報告】
2007507394.tif 000025
2007507394.tif 000026